(57)【要約】【課題】ポンプ収容室に収容するポンプと、容器本体内に収容する空気分散器とを接続するエアーチューブが容器本体から直接にエアーポンプ収容室に接続する場合、エアーポンプと容器本体の挿通孔との間から容器本体内の水がポンプ収容室に入る課題がある。【解決手段】隔壁にて隔離形成されたポンプ収容室１０を備えた容器本体１と、容器本体１に被蓋させる蓋体２とから構成され、ポンプ収容室１０に収容するポンプＰと、容器本体１内に収容する空気分散器Ｓとを接続するエアーチューブＴを導通するための凹溝１４を、隔壁を含まない容器壁１ａに設け、この凹溝１４は容器本体１外へ一旦迂回開放された排水用凹部１５を介してポンプ収容室１０に通ずる隔壁側の凹溝１６と連通形成されていることを特徴とする活魚輸送用容器を提供する。【選択図】　　　　　　図５
2004113140.tif 000002
【特許請求の範囲】
【請求項１】
隔壁にて隔離形成されたポンプ収容室を備えた容器本体と、容器本体に被蓋させる蓋体とから構成され、ポンプ収容室に収容するポンプと、容器本体内に収容する空気分散器とを接続するエアーチューブを導通するための凹溝を、隔壁を含まない容器壁に設け、この凹溝は容器本体外へ一旦迂回開放された排水用凹部を介してポンプ収容室に通ずる隔壁側の凹溝と連通形成されていることを特徴とする活魚輸送用容器。
【請求項２】
ポンプ収容室の上端開口面には水封シールが貼着されてあることを特徴とする請求項１記載の活魚輸送用容器。
【請求項３】
隔壁を含まない容器壁に設けた凹溝は、排水用凹部へ至るまでの経路が上り勾配に形成されてあることを特徴とする請求項１または２記載の活魚輸送用容器。
【請求項４】
排水用凹部から、ポンプ収容室に通ずる隔壁側の凹溝へ至るまでの経路が上り勾配に形成されてあることを特徴とする請求項１〜３の何れかに記載の活魚輸送用容器。
【請求項５】
排水用凹部から容器本体の外側寄りには、外方側が低くなるよう傾斜した排水部を連通形成してあることを特徴とする請求項１〜４の何れかに記載の活魚輸送用容器。
【発明の詳細な説明】
【０００１】
【発明の属する技術分野】
本発明は、活魚輸送用容器に関し、魚介類を活性状態で良好に輸送できるようにした容器である。
【０００２】
【従来の技術】
従来における魚介類を輸送する容器としては、水溶液とともに魚介類を入れ、エアーポンプから容器に噴き込まれた空気を、容器内に取り付けられた空気分散器によって水溶液中に常時噴き出しながら魚介類を輸送する発泡スチロール製の蓋付きの魚介類を輸送する容器において、エアーポンプが配置されている凹部空間の構造が容器外に排水可能な構造を採用してあるものがある（例えば特許文献１参照。）。
【０００３】
【特許文献１】
特許第３２８９９３０号公報
【０００４】
【発明が解決しようとする課題】
しかしながら、エアーポンプ収容室が排水可能であっても、一旦容器本体内の水がエアーポンプ収容室内に入る可能性のあることはエアーポンプの機能性維持の点からしても決して好ましいものではなかった。
特に、ポンプ収容室に収容するポンプと、容器本体内に収容する空気分散器とを接続するエアーチューブが容器本体から直接にエアーポンプ収容室に接続する場合、エアーポンプと容器本体の挿通孔との間から容器本体内の水がポンプ収容室に入ることもあり、ポンプ収容室付の容器の課題とされていた。
【０００５】
そこで、本発明では、上記したポンプ収容室内に水が入るという課題を解決できる活魚輸送用容器を提供することを目的としている。
【０００６】
【課題を解決するための手段】
上記従来品の課題を解決することのできる本発明による活魚輸送用容器としては、請求項１に記載したように、隔壁にて隔離形成されたポンプ収容室を備えた容器本体と、容器本体に被蓋させる蓋体とから構成され、ポンプ収容室に収容するポンプと、容器本体内に収容する空気分散器とを接続するエアーチューブを導通するための凹溝を、隔壁を含まない容器壁に設け、この凹溝は容器本体外へ一旦迂回開放された排水用凹部を介してポンプ収容室に通ずる隔壁側の凹溝と連通形成されていることを特徴としている。
【０００７】
上記請求項１に記載した本発明による活魚輸送用容器にあっては、エアーチューブを容器本体内の空気分散器からポンプ収容室のポンプへと接続するに際しては、隔壁を含まない容器壁に設けた凹溝に導通し、この凹溝から、容器本体外へ一旦迂回開放された排水用凹部への導通を経て、ポンプ収容室に通ずる隔壁側の凹溝に導通してポンプ収容室内のポンプへと接続することになる。
従って、隔壁を含まない容器壁に設けた凹溝とエアーチューブとの間から容器本体の水が入り込んでも、容器本体外へ一旦迂回開放された排水用凹部から容器本体外へ排水されることになり、隔壁側の凹溝へと水が達するのを防ぐことができ、ポンプ収容室へ水が入るのを防ぐことができる。
【０００８】
また請求項１に従属する請求項２による本発明のように、ポンプ収容室の上端開口面には水封シールが貼着されてあることをを特徴としていると、ポンプを収容室にセッティング後貼着することにより、水封シールにてポンプ収容室の上方から万が一に水が入ろうとしてもこれを確実に防ぐことができる。
また請求項１または２に従属する請求項３による本発明のように、隔壁を含まない容器壁に設けた凹溝は、排水用凹部へ至るまでの経路が上り勾配に形成されてあることを特徴としていると、隔壁を含まない容器壁に設けた凹溝とエアーチューブ間に、仮に水が入り込んでも凹溝から排水用凹部へ至るまでの経路が上り勾配になっているため、容器本体内に水が戻り易くなり、水は排水用凹部へ進み難くなる利点がある。
【０００９】
また、請求項１〜３の何れかに従属する請求項４の本発明のように、排水用凹部からポンプ収容室に通ずる隔壁側の凹溝へ至るまでの経路が上り勾配に形成されてあることを特徴としていると、排水用凹部から隔壁側の凹溝へ行こうとする水が排水用凹部へ戻り易くなり、ポンプ収容室に通ずる隔壁側の凹溝へ水は到達し難くなり、ポンプ収容室へ水が入るのを防止するのにより好適となる。
さらに請求項１〜４の何れかに従属する請求項５の本発明のように、排水用凹部から容器本体の外側寄りには、外方側が低くなるよう傾斜した排水部を連通形成してあることを特徴としていると、排水用凹部に仮に水が到達してもこの部分における排水部にてより排水を確実に行い得る。
【００１０】
【発明の実施の形態】
次いで、本発明の実施形態について図を参照しながら以下に順次説明する。
図１は何れも発泡ポリスチレン等の合成樹脂発泡体にて形成された容器本体１および蓋体２について、蓋体２の被着前を示している斜視図、図２は容器本体の平面図と一部の拡大平面図を示している。図３および図４は図２のＡ−Ａ断面図およびＢ−Ｂ断面図、図５はポンプへのエアーチューブ導通状態を示す平面図を示している。
【００１１】
各図にあって、１０は海水を収容する容器本体１の対角位置において、数枚の隔壁１１，１２，１３にて容器本体１から隔壁形成されたポンプ収容室であり、ポンプ収容室１０にはポンプＰ（図５参照）を収容できるようにしてある。１４はポンプ収容室１０に収容するポンプＰと、容器本体１内に収容した空気分散器Ｓ（図５参照）とを接続するエアーチューブＴを導通するための凹溝であり、隔壁１１，１２，１３を含まない容器壁１ａに設けられている。
【００１２】
上記凹溝１４は容器本体１外へ一旦迂回開放された排水用凹部１５を介してポンプ収容室１０に通ずる隔壁１１側の凹溝１６と連通形成されている。これらの連通状態は図２（特に一部拡大平面図）に示されてあり、図２のＡ−Ａ断面図を示す図３は、容器壁１ａ側の凹溝１４と、ポンプ収容室１０に通ずる隔壁１１側の凹溝１６との断面を示し、図２のＢ−Ｂ断面を示す図４は容器本体１の外へ一旦迂回開放された排水用凹部１５の断面を示しており、排水用凹部１５から容器本体１の外側寄りには、外方側へ低くなるよう傾斜した排水部１５ａを連通形成して排水用凹部１５における容器本体１外への排水をより効果的に行えるように形成している。
【００１３】
図１に示したポンプ収容室１０上の鎖線で示す３０はポンプ収容室１０の上端開口面に貼着する水封シールであり、ポンプＰをポンプ収容室１０にセッティング後、開口部を覆うように貼着すると、ポンプ収容室１０の上方から水が入り込むのを完璧に防ぐ上で非常に好適となる。
また図１の１０ａはポンプ収容室１０へのエアー導入口である。さらに、図１の１０ｂはポンプ収容室１０の側面に、図２の１０ｃはポンプ収容室１０の底面にそれぞれ形成した突起であり、ポンプＰの室内接触面を少なくして出し入れをし易くしている。図１の１７は把持用凹部、２１は蓋体２に形成したエアー抜き用の孔であり、蓋体２の周囲より一段低くしてあり、蓋体２付容器本体１をスタックした場合にもエアー抜きし易く形成してあり、この孔２１に続く溝２２は外方へ開放してあり、外方に近づくほど低い勾配に形成して蓋体２上に万が一にも水が溜まることがないように形成してある。図２の１ｃは容器本体１の底面に突設した保持部で、空気分散器Ｓ付近のエアーチューブＴを保持している（図５参照）。
【００１４】
次に、図６には容器本体１の要部となる凹溝１４および凹溝１６さらには両凹溝１４，１６間の排水用凹部１５の連通形成部分についての側面図を示している。そして詳しくは、隔壁を含まない容器壁１ａに設けた凹溝１４は、排水用凹部１５へと至るまでの経路が上り勾配に形成され、また排水用凹部１５からポンプ収容室１０に通ずる隔壁１１側の凹溝１６へ至るまでの経路がより勾配に形成されている。従って凹溝１４が最も低く形成され、順次排水用凹部１５から凹溝１６へと高く形成され、エアーチューブＴと各凹溝１４間から一旦容器本体外方へ迂回開放される排水用凹部１５さらには凹溝１６へと水が進み難くなっており、特に排水用凹部１５には外方寄りに傾斜した排水部１５ａを形成しているので、この部分での排水効果としては非常に有効適切となる。
【００１５】
上記した連通形成部分にて、エアーチューブ導通部分からのポンプ収容室１０への水の浸入を確実に防止できることになる。
図７にはポンプ収容室１０が見える側面図を、図８にはポンプ収容室１０の位置を変更した実施形態を図示しているもので、本発明により水がポンプ収容室１０内に入らないようにした構成については、先の実施形態と同様である。
なお、凹溝１４、さらには凹溝１６の下面アールと高さの一部はエアーチューブＴより少し小さく形成して実施することで水に対するシール性を良好に維持できる。
【００１６】
また、図９には容器本体１と蓋体２に互いに密な嵌合状態を提供できるよう周囲にわたって細い凸条１ｂを一方に、細い凹溝２ｂを他方に形成して実施するのがシール効果をより上げる上で好ましい。
なお、本発明による活魚輸送用容器の実送テストについて以下に示した。
［活魚輸送用箱による実送テスト］
１．目的
活魚輸送箱の輸送環境把握の為、輸送中の海水温と外気を測定する。
２．装置
データレコーダー　ＡＭ７００２　（安達計器（株）製）
３．試験方法、条件
輸送ルート
大分県宇佐市　→　冷凍機付冷蔵車　→　大阪中央卸売市場
梱包、出荷方法
予め水温１５℃に調整された水槽より海水約１７リットルと活車海老３ｋｇ（１０３尾）を本発明によるエアーポンプ付き発泡スチロール容器に入れ凍結した蓄冷材３００ｇ　２個を投入後、蓋を粘着テープにて封をして出荷まで屋内常温放置。
４．試験区
（１）活魚箱
外寸５５０×３５０×２７５（ｈ）ｍｍ　　製品重量　３６３ｇ／箱
内寸４３０×３００×２３０　　　　　　　製品倍率　　　　５６倍
（２）ポンプ
品名　フィッシュメイトＰＵＸ−１０２型（販売元：佃通商（株））
仕様　電源　単１が２本　　ポンプ　電池モーター＋ゴム袋ポンプ
外寸　１５０×７５×４０ｍｍ
（３）エアーチューブ
外径φ７ｍｍ　　塩ビ製
【００１７】
【表１】
2004113140.tif 000003
【００１８】
【発明の効果】
本発明による活魚輸送用容器によると、容器本体とは隔壁にて隔離されたポンプ収容室内へ水が浸入するのを確実に防止できる構成を採用してエアーチューブを容器本体内の空気分散器からポンプ収容室へと導通することができ、非常にポンプ収容室の機能性維持をはかる上で優れた防水効果を発揮できることになる。
【図面の簡単な説明】
【図１】蓋体被着前の容器本体と蓋体を示す斜視図である。
【図２】容器本体の平面図である。
【図３】図２のＡ−Ａ断面図である。
【図４】図２のＢ−Ｂ断面図である。
【図５】ポンプを収容した容器本体の一部平面図である。
【図６】容器本体の要部側面図である。
【図７】容器本体の側面図である。
【図８】変更例を示す容器本体の平面図である。
【図９】容器本体と蓋体との嵌合を強化した部分の断面図である。
【符号の説明】
１　　容器本体
１ａ　　容器壁
２　　蓋体
１０　　ポンプ収容室
１１，１２，１３　　隔壁
１４　　容器壁側の凹溝
１５　　一旦収容器外方へ迂回開放した排水用凹部
１５ａ　　排水部
１６　　隔壁側の凹溝
Ｐ　　ポンプ
Ｓ　　空気分散器
Ｔ　　エアーチューブ
【図１】
2004113140.tif 000004
【図２】
2004113140.tif 000005
【図３】
2004113140.tif 000006
【図４】
2004113140.tif 000007
【図５】
2004113140.tif 000008
【図６】
2004113140.tif 000009
【図７】
2004113140.tif 000010
【図８】
2004113140.tif 000011
【図９】
2004113140.tif 000012